(57)【要約】      （修正有）【課題】注意を引く特徴を備えたビデオ・キャプチャー装置を提供する。【解決手段】本装置は、ビデオ・キャプチャー装置部と、該ビデオ・キャプチャー装置部に接続された注意誘引装置とを備え、該注意誘引装置は、該ビデオ・キャプチャー装置部がより良い画像を取り込めるように視線を引くために使用される。これにより、子供やペットの注意を引くことができ、より自然な写真やビデオ画像を得ることができる。【選択図】図１
0003148226.tif 000002
【実用新案登録請求の範囲】
【請求項１】
注意を引く特徴を備えたビデオ・キャプチャー装置であって、
ビデオ・キャプチャー装置部と、
該ビデオ・キャプチャー装置部に接続された注意誘引装置と
を備え、
該注意誘引装置は、該ビデオ・キャプチャー装置部がより良い画像を取り込めるように、視線を引くために使用される装置。
【請求項２】
前記注意誘引装置は人の注意を引くために使用される請求項１に記載の注意を引く特徴を備えたビデオ・キャプチャー装置。
【請求項３】
前記注意誘引装置はペットの注意を引くために使用される請求項１に記載の注意を引く特徴を備えたビデオ・キャプチャー装置。
【請求項４】
前記注意誘引装置は注意を引くために音声信号を使用する請求項１に記載の注意を引く特徴を備えたビデオ・キャプチャー装置。
【請求項５】
前記注意誘引装置はある長さの音声を記録する記録部を備える請求項１に記載の注意を引く特徴を備えたビデオ・キャプチャー装置。
【請求項６】
前記注意誘引装置は前記音声を再生する再生部を更に備える請求項５に記載の注意を引く特徴を備えたビデオ・キャプチャー装置。
【請求項７】
前記注意誘引装置は注意を引くために光を使用する請求項１に記載の注意を引く特徴を備えたビデオ・キャプチャー装置。
【請求項８】
前記注意誘引装置は注意を引くために、活動する機械構造物を使用する請求項１に記載の注意を引く特徴を備えたビデオ・キャプチャー装置。
【請求項９】
前記機械構造物の活動は、揺れる動き、振る動き、移動する動き、又は規則的な移動する動きである請求項８に記載の注意を引く特徴を備えたビデオ・キャプチャー装置。
【請求項１０】
前記ビデオ・キャプチャー装置部はカメラである請求項１に記載の注意を引く特徴を備えたビデオ・キャプチャー装置。
【請求項１１】
前記ビデオ・キャプチャー装置部はビデオカメラである請求項１に記載の注意を引く特徴を備えたビデオ・キャプチャー装置。
【考案の詳細な説明】
【技術分野】
【０００１】
本考案は、注意を引く特徴を備えたビデオ・キャプチャー装置、特に、１ショットを撮る時に、被写体の視線と注意とを引く特別な可聴信号、光、又は機械構造物の活動を発生させることができる装置に関する。
【背景技術】
【０００２】
技術の速い進歩に伴って、電気製品が急速に向上している。
フィルムを使って画像を取り込んで記録する従来のカメラとビデオカメラの両方は、画像を取り込んで記憶する電気装置に進化した。
これにより、取り込んだ画像をカメラ又はビデオカメラのＬＣＤ画面でユーザに直接提供することができ、デジタル化されたビデオ画像をより容易に記憶し送ることができる。また、カメラレンズとビデオカメラレンズの分解能はますます高くなっており、より多くの特徴とともに光学ズーム及びデジタルズームもますます強力になっている。
【０００３】
従来のカメラとビデオカメラとの特徴と分解能の両方は、大きく向上したが、注意を引くための特徴をまだ備えていないので、ユーザにとって不便である。
例えば、子供やペットを撮る時、彼らをレンズに注目させより良い自然な写真をとるために、ユーザは一方の手にカメラを、他方の手に彼らの視線を引くための玩具又は他の物を持たなければならない。
このようにカメラ又はビデオカメラを片手で扱うことは、通常、レンズ振れ又は焦点ずれの問題を引き起こし、写真をとる困難さを増加させる。
一方、写真をとる時、子供やペットがレンズを向くまで、ユーザはシャッタ−を押すことができない。このため、より良い画像を得るためにより長い待ち時間とより多くのフィルムを必要とする。
【０００４】
従来のカメラ装置の技術に次のような幾つかの不都合な点がある。
１．従来のカメラとビデオカメラを使用する場合、子供やペットの視線と注意とを引く装置が存在しない。
２．従来のカメラとビデオカメラを使用する場合、子供やペットを撮る時、このカメラ又はビデオカメラを片手で扱い、他方の手で彼らの注意を引かなければならない。これは写真をとる困難さを増加させる。
３．従来のカメラとビデオカメラを使用する場合、子供やペットのより良い自然な画像を得るためにより長い待ち時間とより多くのフィルムを必要とする。
【考案の開示】
【考案が解決しようとする課題】
【０００５】
本考案が課題とするところは、上記した従来技術の不都合な点を改善して注意を引くための特徴を有するビデオ・キャプチャー装置を提供することにある。
【課題を解決するための手段】
【０００６】
本考案の目的は、注意を引く特徴を備え、新しい進歩したビデオ・キャプチャー装置を提供することである。この装置は、注意誘引装置をビデオ・キャプチャー装置と一体化し、人又は動物を撮る時に、より良い自然なビデオ画像を得るために、特別な可聴信号、光効果、又は機械構造物の活動を発生させることで被写体の視線と注意とを引く。
【０００７】
本考案に係る注意を引く特徴を備えたビデオ・キャプチャー装置は、ビデオ・キャプチャー装置部と、該ビデオ・キャプチャー装置部に接続された注意誘引装置とを備え、該注意誘引装置は、該ビデオ・キャプチャー装置部がより良い画像を取り込めるように、視線を引くために使用される。
【０００８】
本考案の一態様によれば、前記注意誘引装置は人の注意を引くために使用される。
【０００９】
本考案の別の一態様によれば、前記注意誘引装置はペットの注意を引くために使用される。
【００１０】
本考案の別の一態様によれば、前記注意誘引装置は注意を引くために音声信号を使用する。
【００１１】
本考案の別の一態様によれば、前記注意誘引装置はある長さの音声を記録する記録部を備える。
【００１２】
本考案の別の一態様によれば、前記注意誘引装置は前記音声を再生する再生部を更に備える。
【００１３】
本考案の別の一態様によれば、前記注意誘引装置は注意を引くために光を使用する。
【００１４】
本考案の別の一態様によれば、前記注意誘引装置は注意を引くために、活動する機械構造物を使用する。
【００１５】
本考案の別の一態様によれば、前記機械構造物の活動は、揺れる動き、振る動き、移動する動き、又は規則的な移動する動きであってよい。
【００１６】
本考案の別の一態様によれば、前記ビデオ・キャプチャー装置部はカメラである。
【００１７】
本考案の別の一態様によれば、前記ビデオ・キャプチャー装置部はビデオカメラである。
【００１８】
本考案は、添付の図面を参照しながら下記の記載を読むことにより最も良く理解されるであろう。
【考案を実施するための最良の形態】
【００１９】
図１は本考案に係るノイズで注意を引く特徴を備えたビデオ・キャプチャー装置の構成図を示す。この装置はビデオ・キャプチャー装置部１１、注意誘引装置１２、記録部１３、及び再生部１４を備える。
【００２０】
図２は本考案に係る光で注意を引く特徴を備えたビデオ・キャプチャー装置の構成図を示す。この装置はビデオ・キャプチャー装置部１１、注意誘引装置１２、及び光源１５を備える。
【００２１】
図３は本考案に係る機械構造物の活動で注意を引く特徴を備えたビデオ・キャプチャー装置の構成図を示す。この装置はビデオ・キャプチャー装置部１１、注意誘引装置１２、及び機械構造物１６を備える。
【００２２】
注意を引く特徴を備えた本ビデオ・キャプチャー装置によれば、ビデオ・キャプチャー装置部１１内の注意誘引装置１２は、人又は動物の注意を先ず注意誘引装置１２に引き、この被写体を撮る時に、より良いビデオ画像を得るために彼らの視線をビデオ・キャプチャー装置部１１のレンズに集束させることができる。
【００２３】
ビデオ・キャプチャー装置部１１は、カメラ、ビデオカメラ、ビデオシステム、又は携帯電話のカメラ等のビデオ・キャプチャーが可能な他の任意の装置であってよい。
注意誘引装置１２は、記録部１３と再生部１４とを備える装置であってよい。
記録部１３を介してユーザは、子供やペットにとって非常に魅力的な、ある長さの音声を装置１２に記録し、子供やペットを撮る時に、彼らの視線と注意とを引き彼らがレンズを見た時により良いビデオ画像を得るために、この予め記録された音声を再生部１４により再生することができる。
勿論、再生部１４は、雷鳴、呼出音、音楽、動物の叫び声、ノック音等の多くの効果音を予め読み込むことができる。
記録部１３も、笑声、叫び声、呼び声、特定の人の声等の多くの効果音を記録することができる。また、異なる効果音を生成するために周波数変換器を使用してもよい。
【００２４】
注意誘引装置１２は、撮影中に注意を引くために閃光または色鮮やかな光効果を放つ光源１５を備えた装置であってもよい。
また、注意誘引装置１２は活動する機械構造物を備えた装置であってもよい。機械構造物１６は子供やペットの注意を引くための動く腕または動く人形であってもよい。
【００２５】
本考案には次のような幾つかの利点がある。
１．本考案の注意を引く特徴を備えたビデオ・キャプチャー装置によれば、子供やペット注意を引きより良い自然なビデオ画像を得るために、注意誘引装置によって特別な音声、光、又は機械構造物の活動を発生させることができる。
２．本考案の注意を引く特徴を備えたビデオ・キャプチャー装置によれば、ある長さの魅力的な音声を予め記録し、撮影時、被写体の注意を引くためにこれを再生することができる。
【００２６】
要約すると、本考案の注意を引く特徴を備えたビデオ・キャプチャー装置は、ビデオ・キャプチャー装置に注意誘引装置を一体化し、より良い自然なビデオ画像を求めて撮る前に先ず被写体の注意を引く。注意を引く特徴を備えた本ビデオ・キャプチャー装置のビデオ・キャプチャー装置又は注意誘引装置の他のいかなる変更された構成も本考案の範囲に含まれる。
【００２７】
本考案を現在最も実用的で好適であると考えられる実施形態に関して説明したが、本考案は、開示された実施形態に限定される必要はないことは理解されるべきである。それどころか、最も広い解釈によって与えられる添付の請求項の思想と範囲内に入る様々な変更及び同様の構成を含むよう意図されている。
【図面の簡単な説明】
【００２８】
【図１】本考案に係る被写体の注意を引くために音声を使用する注意を引く特徴を備えたビデオ・キャプチャー装置の構成図である。
【図２】本考案に係る被写体の注意を引くために光を使用する注意を引く特徴を備えたビデオ・キャプチャー装置の構成図である。
【図３】本考案に係る被写体の注意を引くために機械構造物の活動を使用する注意を引く特徴を備えたビデオ・キャプチャー装置の構成図である。
【符号の説明】
【００２９】
１１  ビデオ・キャプチャー装置部
１２  注意誘引装置
１３  記録部
１４  再生部
【図１】
0003148226.tif 000003
【図２】
0003148226.tif 000004
【図３】
0003148226.tif 000005
【手続補正書】
【提出日】平成20年11月26日(2008.11.26)
【手続補正１】
【補正対象書類名】実用新案登録請求の範囲
【補正対象項目名】請求項１
【補正方法】変更
【補正の内容】
【請求項１】
注意を引く特徴を備えたビデオ・キャプチャー装置であって、
ビデオ・キャプチャー装置部と、
該ビデオ・キャプチャー装置部に接続された注意誘引装置と
を備え、
該注意誘引装置は、該ビデオ・キャプチャー装置部がより良い画像を取り込めるように、視線を引くために使用される、注意を引く特徴を備えたビデオ・キャプチャー装置。